(57)【特許請求の範囲】
【請求項１】
情報を表示する表示手段と、キー入力部が操作されてから第１の時間、前記表示手段に光をあてるバックライト手段とを有する無線電話装置において、
前記キー入力部の操作によって選択された機能を判別する判別手段と、
前記バックライトを光らせる時間を、前記判別手段が無線回線を介してアクセスしたサーバから情報を入手する情報受信モードが選択されていると判別した場合に前記第１の時間より長い第２の時間とするか、前記判別手段の判別結果によらず前記第１の時間とするかを設定する設定手段と、
前記設定手段によって判別結果によらず第１の時間とする設定がなされている場合は、前記キー入力部の操作から第１の時間だけ前記バックライト手段を光らせ、前記設定手段によって判別結果に応じて前記第１の時間より長い第２の時間とする設定がなされている場合は、前記判別手段によって情報受信モードが選択されていると判別されると、前記キー入力部の操作から第２の時間だけ前記バックライト手段と光らせるように制御する制御手段と
を具備したことを特徴とする無線電話装置。
【請求項２】
前記設定手段は前記情報受信モードに加え、メール作成およびメール閲覧のためのメール機能が選択された場合も、前記判別手段によってこのメール機能が選択されていることが判別されたときに前記バックライト手段を光らせる時間を前記第２の時間に設定可能し、前記制御手段は、前記判別手段が情報受信モードおよびメール機能が選択されていると判別したとき、前記キー入力部の操作から前記第２の時間だけ前記バックライト手段を光らせることを特徴とする請求項１に記載の無線電話装置。
【発明の詳細な説明】
【０００１】
【発明の属する技術分野】
この発明は、バックライト付きＬＣＤ（液晶表示装置）等の表示手段を有する無線電話装置に関し、特に、ユーザが選択したモードに対応してバックライト点灯時間を最適に制御して操作性を改善した無線電話装置に関する。
【０００２】
【従来の技術】
一般に、携帯電話機等の無線電話装置にはユーザに対して各種情報を表示するための表示装置が設けられており、この表示装置としては、この種の無線電話装置の小型化の要請および各種使用環境に対応するためにバックライト付きＬＣＤが用いられている。
【０００３】
ところで、このバックライト付きＬＣＤは、電池消耗を防ぐために、ユーザ操作、例えば、いずれかのキーが押下されてから一定時間、例えば、１０秒間だけバックライトを点灯させ、この一定時間以内に新たなユーザ操作がない場合は自動的に消灯するように構成されている。
【０００４】
さて、最近の携帯電話機等の無線電話装置の発達は目覚しく、各種機能が実現されている。
【０００５】
これらの機能の中には、例えば、ＷＡＰサービスのように、遠隔の蓄積サーバにアクセスして該蓄積サーバに蓄積されている所望のコンテンツを取り出すサービスもあり、このようなサービスを受ける場合は、このサービスのモードに入ると一定の時間キー操作等が不要の状態になることもある。
【０００６】
また、最近多用されているメール通信のためのメールの作成モード、またはメールの閲覧モードにおいても、一定時間キーの押下等のユーザ操作がなされない状態も生ずる。
【０００７】
【発明が解決しようとする課題】
しかし、従来のバックライト付きＬＣＤを有する無線電話装置においては、上述したように、ユーザ操作がなされてから一定時間以内に新たなユーザ操作がなされないとバックライトは消灯されてしまうので、上記ＷＡＰサービスのような情報取り出しモード若しくはメールの作成モード、メールの閲覧モード等が選択されて場合には、ユーザの意図に反してバックライトが自動消灯してしまう場合が多く発生し、この場合は、バックライトを再び点灯させるために、いずれかのキーを操作する等の無意味な操作が必要になる。
【０００８】
しかも、この場合のキー操作を誤ると、ユーザにより選択されたモードから意図しない他のモードに切り換わったり、誤った文字入力を行ってしまう等の不都合が発生する。
【０００９】
上記不都合を解消するために、バックライト付きＬＣＤのバックライトの点灯時間を長くする手法も考えられるが、単純にバックライトの点灯時間を長くすると本来の電池消耗を防ぐという目的が達成できない。
【００１０】
そこで、この発明は、ユーザの選択した機能に対応して最適にバックライト点灯時間を制御することで操作性の向上および電池の長寿命化を図った無線電話装置を提供することを目的とする。
【００１１】
【課題を解決するための手段】
上記目的を達成するために、本発明では、情報を表示する表示手段と、キー入力部が操作されてから第１の時間、前記表示手段に光をあてるバックライト手段とを有する無線電話装置において、前記キー入力部の操作によって選択された機能を判別する判別手段と、前記バックライトを光らせる時間を、前記判別手段が無線回線を介してアクセスしたサーバから情報を入手する情報受信モードが選択されていると判別した場合に前記第１の時間より長い第２の時間とするか、前記判別手段の判別結果によらず前記第１の時間とするかを設定する設定手段と、前記設定手段によって判別結果によらず第１の時間とする設定がなされている場合は、前記キー入力部の操作から第１の時間だけ前記バックライト手段を光らせ、前記設定手段によって判別結果に応じて前記第１の時間より長い第２の時間とする設定がなされている場合は、前記判別手段によって情報受信モードが選択されていると判別されると、前記キー入力部の操作から第２の時間だけ前記バックライト手段と光らせるように制御する制御手段とを具備したことを特徴とする。
【００１９】
【発明の実施の形態】
以下、この発明に係わる無線電話装置の形態を添付図面を参照して詳細に説明する。
【００２０】
図１は、この発明に係わる無線電話装置を適用した携帯電話機の一実施の形態を示すブロック図である。
【００２１】
図１において、この実施の形態の携帯電話機１０は、ＣＤＭＡ(Code Division Multiple Access)方式を採用するもので、電池１１、電源回路１２、Ａ−Ｄ変換器１３、メモリ１４、バックライト付き表示器１５、キー入力部１６、マイクロプロセッサ１７、ＣＤＭＡ信号処理回路１８、無線機１９、アンテナ２０、ボコーダ２１、Ａ−Ｄ変換器２２、マイクロフォン２３、Ｄ−Ａ変換器２４、スピーカ２５、サウンダ２６を具備して構成される。
【００２２】
ここで、電池１１は、充電可能な２次電池から構成され、この電池１１の出力は電源回路１２に供給され、この電源回路１２からこの携帯電話機１０の各部に電源Ｖｃｃを供給するとともに、この電池１１の出力は、Ａ−Ｄ変換器１３によりアナログ−ディジタル変換されてマイクロプロセッサ１７に供給される。
【００２３】
メモリ１４は、この携帯電話機１０の各種情報およびマイクロプロセッサ１７の制御プログラム等を記憶するものである。
【００２４】
バックライト付き表示器１５は、液晶表示装置（ＬＣＤ）１５１およびＬＣＤ１５１の視認性を向上させるためのバックライト１５２から構成され、この実施の形態においては、このバックライト１５２の点灯制御に特徴がある。
【００２５】
キー入力部１６は、ダイヤルキーを含む複数のキーを有し、この携帯電話機１０に対するユーザ操作は、このキー入力部１６を用いて行われる。
【００２６】
マイクロプロセッサ１７は、この携帯電話機１０の全体動作を統括制御するもので、この実施の形態の特徴であるバックライト１５２の点灯制御もこのマイクロプロセッサ１７の制御に基づき行われる。
【００２７】
ＣＤＭＡ信号処理回路１８は、この携帯電話機１０が図示しない公衆基地局と無線通信を行う場合のＣＤＭＡ信号処理を行う。マイクロプロセッサ１７からの送信信号は、このＣＤＭＡ信号処理回路１８でＣＤＭＡ信号処理されて、無線機１９、アンテナ２０を介して公衆基地局ヘ送信され、公衆基地局からの受信信号は、アンテナ２０、無線機１９を介して受信され、ＣＤＭＡ信号処理回路１８でＣＤＭＡ信号処理が施されて、マイクロプロセッサ１７に入力される。
【００２８】
マイクロフォン２３およびスピーカ２５は、この携帯電話機１０の送受話器を構成するもので、マイクロフォン２３から入力された音声は、Ａ−Ｄ変換器でアナログ−ディジタル変換され、ボコーダ２１を介して、マイクロプロセッサ１７に入力され、さらに、ＣＤＭＡ信号処理回路１８、無線機１９、アンテナ２０を介して公衆基地局ヘ送信される。
【００２９】
また、アンテナ２０、無線機１９を介して受信した音声信号は、ＣＤＭＡ信号処理回路１８、マイクロプロセッサ１７、ボコーダ２１、Ｄ−Ａ変換器２４を介して、スピーカ２５に加えられ、スピーカ２５から音声として出力される。
【００３０】
サウンダ２６は、例えば、このこの携帯電話機１０の着信時等に着信音を出力するためのものである。
【００３１】
さて、この実施の形態の携帯電話機１０においては、キー入力部１６からのユーザ操作により
１）ＷＡＰサービスモード
２）メール作成モード
３）メール閲覧モード
等を選択することにより各種機能を実現することができるように構成されており、このユーザ操作に選択された機能（モード）に対応してバックライト付き表示器１５のバックライト１５２の点灯時間を最適に制御することにより、この携帯電話機１０の操作性を向上させるとともに、電池１１の消耗を最低限に抑えるように構成されている。
【００３２】
すなわち、この実施の形態の携帯電話機１０においては、後に詳述するように、キー入力部１６のユーザ操作により選択された機能をマイクロプロセッサ１７で判別し、マイクロプロセッサ１７はこの判別した機能に対応してバックライト付き表示器１５のバックライト１５２の点灯時間を可変制御する。
【００３３】
図２は、図１に示した携帯電話機１０を用いて実現されるＷＡＰサービスを説明するためのシステム全体構成図である。
【００３４】
図１に示した携帯電話機１０は、各地に分散配置された公衆基地局３０と無線接続することで、通話機能および各種通信機能を実現する。
【００３５】
公衆基地局３０は、パケット交換機能を有する回線交換網４０に接続され、この回線交換網４０には、ゲートウエイ５０を介してインターネット６０に接続されるとともに、ＷＡＰサービスを実現するための蓄積サーバ７０に接続され、さらに、この蓄積サーバ７０は、インターネット６０に接続され、また、このインターネット６０にはパーソナルコンピュータ８０が接続されている。
【００３６】
この携帯電話機１０を用いて実現されるＷＡＰサービスは、携帯電話機１０から、公衆基地局３０、回線交換網４０、ゲートウエイ５０を介して蓄積サーバ７０にアクセスし、蓄積サーバ７０の蓄積情報の内の所望の情報を取り出して携帯電話機１０のバックライト付き表示器１５に表示することで実現される。
【００３７】
さて、図１に示した携帯電話機１０のバックライト付き表示器１５は、電池１１の消耗を防ぐために、キー入力部１６でいずれかのキーが押下されたユーザ入力が有った場合にのみバックライト付き表示器１５のバックライト１５２を点灯させ、その後、一定の時間、例えば、１０秒の間にキー入力部１６でいずれかのキーを押下する新たなユーザ操作がない場合は、バックライト１５２を自動的に消灯するように、マイクロプロセッサ１７で制御されている。
【００３８】
しかし、図２で説明したようなＷＡＰサービスを受ける場合は、蓄積サーバ７０との間の通信確立までの時間および通信時間を考えると、上記一定の時間、いずれのキー操作も行われない事態が発生する蓋然性は高い。
【００３９】
この場合、バックライト付き表示器１５のバックライト１５２は自動消灯されてしまうので、ＷＡＰサービスに基づきバックライト付き表示器１５に表示された情報を例えば、暗い場所等で確認するためには、バックライト１５２を再び点灯させるために、キー入力部１６のいずれかのキーを操作しなければならない。
【００４０】
しかし、このとき、このＷＡＰサービスに影響を与えないキーが存在すれば、このキーを押下することにより、ＷＡＰサービスに影響を与えることなくバックライト１５２を再び点灯させることができるが、ここで誤って、ＷＡＰサービスに影響を与えるキーを押下した場合は、ユーザが意図しない他のモードに切り換わったり、誤った文字入力を行ってしまうことになる。
【００４１】
また、バックライト１５２の再点灯が必要になる毎に、不要なキー操作を行うことはユーザ操作上煩わしく、好ましいことではない。
【００４２】
そこで、この実施の形態の携帯電話機１０においては、ＷＡＰサービスモードが選択された場合は、バックライト付き表示器１５のバックライト１５２の点灯時間（いずれのユーザ操作がない場合は、バックライト１５２を自動消灯する時間）をマイクロプロセッサ１７の制御により延長するように構成されている。
【００４３】
図３は、図１に示した携帯電話機１０のマイクロプロセッサ１７によるバックライト付き表示器１５のバックライト１５２の点灯制御処理を示すフローチャートである。
【００４４】
図３において、バックライト付き表示器１５のバックライト１５２が消灯状態にあるとき（ステップ１０１）、マイクロプロセッサ１７は、キー入力部１６からのキー入力を監視しており（ステップ１０２）、キー入力部１６からキー入力がない場合は（ステップ１０２でＮＯ）、ステップ１０２に戻り、キー入力部１６からのキー入力の監視を続けるが、キー入力部１６でいずれかのキーが押下されてキー入力が有ると判断されると（ステップ１０２でＹＥＳ）、次に、ＷＡＰモードが選択されたかを調べる（ステップ１０３）。
【００４５】
ここで、ＷＡＰモードが選択されていないと判断されると（ステップ１０３でＮＯ）、通常のバックライト点灯制御を行う。
【００４６】
すなわち、バックライト付き表示器１５のバックライト１５２の点灯時間を予め設定した初期値ｔに設定し（ステップ１０８）、バックライト１５２を点灯させる（ステップ１０９）。
【００４７】
そして、バックライト１５２を点灯してから上記初期値ｔの時間内にキー入力部１６でいずれかのキーが押下されてキー入力が有ると（ステップ１１０でＹＥＳ）、ステップ１０９に戻り、バックライト１５２の点灯時間を更新して、バックライト１５２の点灯を続ける。
【００４８】
しかし、上記初期値ｔの時間内にキー入力部１６でいずれのキーも押下されずに、ステップ１１０でｔ時間内に新たなキー入力がないと判断されると（ステップ１１０でＮＯ）、バックライト１５２を自動消灯して、バックライト付き表示器１５のバックライト１５２の消灯状態（ステップ１０１）に戻る。
【００４９】
これに対して、ステップ１０３で、ＷＡＰモードが選択されたと判断されると（ステップ１０３でＹＥＳ）、以下のように、バックライト付き表示器１５のバックライト１５２の点灯時間を延長時間Ｔに延長したバックライト点灯制御を行う。
【００５０】
なお、ここで、バックライト１５２の点灯時間を延長するか否かは、ユーザによるユーザ設定による。すなわち、ユーザ操作により、バックライト１５２の点灯時間を延長するバックライト点灯延長設定が、ユーザにより予めＯＮに設定されている場合は、上記バックライト１５２の点灯時間を延長する機能が実行されるが、バックライト点灯延長設定が、ユーザにより予めＯＦＦに設定されている場合は、上記バックライト１５２の点灯時間を延長する機能は実行されず、通常のバックライト点灯制御が行われる。
【００５１】
ステップ１０３で、ＷＡＰモードが選択されたと判断されると（ステップ１０３でＹＥＳ）、次に、バックライト点灯延長設定がＯＮに設定されているかを調べる（ステップ１０４）。ここで、バックライト点灯延長設定がＯＦＦであると（ステップ１０４でＮＯ）、ステップ１０８２進み、上述した通常のバックライト点灯制御を行う。
【００５２】
しかし、ステップ１０４で、バックライト点灯延長設定がＯＮに設定されていると判断されると（ステップ１０４でＹＥＳ）、バックライト付き表示器１５のバックライト１５２の点灯時間を延長時間Ｔ（＞ｔ）に設定し（ステップ１０５）、バックライト１５２を点灯させる（ステップ１０６）。
【００５３】
そして、バックライト１５２を点灯してから上記延長時間Ｔの時間内にキー入力部１６でいずれかのキーが押下されてキー入力が有ると（ステップ１０７でＹＥＳ）、ステップ１０６に戻り、バックライト１５２の点灯時間を更新して、バックライト１５２の点灯を続ける。
【００５４】
しかし、上記延長時間Ｔの時間内にキー入力部１６でいずれのキーも押下されずに、ステップ１０７でＴ時間内に新たなキー入力がないと判断されると（ステップ１０７でＮＯ）、バックライト１５２を自動消灯して、バックライト付き表示器１５のバックライト１５２の消灯状態（ステップ１０１）に戻る。
【００５５】
このような構成によると、ＷＡＰモードが選択されている状態においては、バックライト付き表示器１５のバックライト１５２の点灯時間が初期値ｔから延長時間Ｔに延長されるので、この延長時間ＴをＷＡＰサービスを受ける際に十分な例えば、３０秒に設定することで、ＷＡＰサービスを受けている最中に、自動的にバックライト付き表示器１５のバックライト１５２が消灯する事態を可及的になくすることができ、その結果、バックライト１５２の再点灯のために不要なキー操作を行うというようなユーザ操作が不用になり、操作性が大幅に向上する。
なお、上述した実施の形態においては、ＷＡＰモードが選択された場合に、バックライト付き表示器１５のバックライト１５２の点灯時間を初期値から延長時間Ｔに延長するように構成したが、バックライト点灯時間の延長が要求される他の機能の選択時にもバックライト付き表示器１５のバックライト１５２の点灯時間を延長するように構成してもよい。
【００５６】
例えば、メール通信機能におけるメール作成モード、メール閲覧モードにおいても、所定時間キー入力１６２よるキー操作がなされない事態が発生することが考えられるので、このメール作成モード、メール閲覧モードが選択された場合にもバックライト付き表示器１５のバックライト１５２の点灯時間を延長することで、バックライト１５２の再点灯のために不要なキー操作をなくすという同様の効果が期待できる。
【００５７】
図４は、図１に示した携帯電話機１０のマイクロプロセッサ１７によるバックライト付き表示器１５のバックライト１５２の他の点灯制御処理を示すフローチャートである。
【００５８】
図４に示したバックライト付き表示器１５のバックライト１５２の点灯制御処理においては、ＷＡＰモードが選択されたときだけでなく、メール作成、閲覧モードが選択された場合も、マイクロプロセッサ１７により、バックライト付き表示器１５のバックライト１５２の点灯時間を延長するように制御する。
【００５９】
図４において、バックライト付き表示器１５のバックライト１５２が消灯状態にあるとき（ステップ１２１）、マイクロプロセッサ１７は、キー入力部１６からのキー入力を監視しており（ステップ１２２）、キー入力部１６からキー入力がない場合は（ステップ１２２でＮＯ）、ステップ１２２に戻り、キー入力部１６からのキー入力の監視を続けるが、キー入力部１６でいずれかのキーが押下されてキー入力が有ると判断されると（ステップ１２２でＹＥＳ）、次に、ＷＡＰモードが選択されたかを調べる（ステップ１２３）。
【００６０】
ここで、ＷＡＰモードが選択されたと判断されると（ステップ１２３でＹＥＳ）、バックライト付き表示器１５のバックライト１５２の点灯時間を延長時間Ｔ１（＞ｔ）に設定し（ステップ１２４）、バックライト１５２を点灯させる（ステップ１２５）。
【００６１】
そして、バックライト１５２を点灯してから上記延長時間Ｔ１の時間内にキー入力部１６でいずれかのキーが押下されてキー入力が有ると（ステップ１２６でＹＥＳ）、ステップ１２５に戻り、バックライト１５２の点灯時間を更新して、バックライト１５２の点灯を続ける。
【００６２】
しかし、上記延長時間Ｔ１時間内にキー入力部１６でいずれのキーも押下されずに、ステップ１２６でＴ１間内に新たなキー入力がないと判断されると（ステップ１２６でＮＯ）、バックライト１５２を自動消灯して、バックライト付き表示器１５のバックライト１５２の消灯状態（ステップ１２１）に戻る。
【００６３】
また、ステップ１２３で、ＷＡＰモードが選択されていないと判断されると（ステップ１２３でＮＯ）、次に、メールの作成、閲覧モードが選択されているかを調べる（ステップ１２７）。
【００６４】
ここで、メールの作成、閲覧モードが選択されていると判断されると（ステップ１２７でＹＥＳ）、バックライト付き表示器１５のバックライト１５２の点灯時間を延長時間Ｔ２（＞ｔ）に設定し（ステップ１２８）、バックライト１５２を点灯させる（ステップ１２９）。
【００６５】
なお、ここで、延長時間Ｔ２は、メールの作成、閲覧モード選択時の操作態様を考慮して、この操作態様に最適な値に設定されるが、上述したＷＡＰモードの選択時の延長時間Ｔ１と同じ値に設定してもよい。
【００６６】
ステップ１２９で、バックライト付き表示器１５のバックライト１５２が点灯されると、次に、このバックライト１５２を点灯してから上記延長時間Ｔ２の時間内にキー入力部１６でいずれかのキーが押下さてキー入力があるかを調べる（ステップ１３０）、そして、Ｔ２時間内に新たなキー入力が有ると判断されると（ステップ１３０でＹＥＳ）、ステップ１２９に戻り、バックライト１５２の点灯時間を更新して、バックライト１５２の点灯を続ける。
【００６７】
しかし、上記延長時間Ｔ２時間内にキー入力部１６でいずれのキーも押下されずに、ステップ１３０でＴ２間内に新たなキー入力がないと判断されると（ステップ１３０でＮＯ）、バックライト１５２を自動消灯して、バックライト付き表示器１５のバックライト１５２の消灯状態（ステップ１２１）に戻る。
【００６８】
また、ステップ、１２７で、メールの作成、閲覧モードが選択されていないと判断されると（ステップ１２７でＮＯ）、通常のバックライト点灯制御が行われる。
【００６９】
すなわち、バックライト付き表示器１５のバックライト１５２の点灯時間を予め設定した初期値ｔに設定し（ステップ１３１）、バックライト１５２を点灯させる（ステップ１３２）。
【００７０】
そして、バックライト１５２を点灯してから上記初期値ｔの時間内にキー入力部１６でいずれかのキーが押下されてキー入力が有ると（ステップ１３３でＹＥＳ）、ステップ１３２に戻り、バックライト１５２の点灯時間を更新して、バックライト１５２の点灯を続ける。
【００７１】
しかし、上記初期値ｔの時間内にキー入力部１６でいずれのキーも押下されずに、ステップ１３３でｔ時間内に新たなキー入力がないと判断されると（ステップ１３３でＮＯ）、バックライト１５２を自動消灯して、バックライト付き表示器１５のバックライト１５２の消灯状態（ステップ１０１）に戻る。
【００７２】
なお、上記実施の形態においては、ＷＡＰモードが選択されていると、バックライト付き表示器１５のバックライト１５２の点灯時間を延長時間Ｔ１に自動的に延長し、メール作成、閲覧モードが選択された場合は、バックライト付き表示器１５のバックライト１５２の点灯時間を延長時間Ｔ２に自動的に延長するように構成したが、図３に示した点灯制御処理に、予めバックライト点灯延長設定がＯＮかＯＦＦかをＷＡＰモードおよびメール作成、閲覧モードに関して個別に設定し、バックライト点灯延長設定がＯＮに設定されている場合のみ、バックライト付き表示器１５のバックライト１５２の点灯時間を延長時間Ｔ１若しくはＴ２に延長制御するように構成してもよい。
【００７３】
以上説明したようにこの発明によれば、情報を表示する表示手段と、キー入力部が操作されてから第１の時間、前記表示手段に光をあてるバックライト手段とを有する無線電話装置において、前記キー入力部の操作によって選択された機能を判別し、前記バックライトを光らせる時間を、前記判別手段が無線回線を介してアクセスしたサーバから情報を入手する情報受信モード又はメール機能が選択されていると判別した場合に前記第１の時間より長い第２の時間とするか、前記判別手段の判別結果によらず前記第１の時間とするかを設定し、判別結果によらず第１の時間とする設定がなされている場合は、前記キー入力部の操作から第１の時間だけ前記バックライト手段を光らせ、判別結果に応じて前記第１の時間より長い第２の時間とする設定がなされている場合は、情報受信モード又はメール機能が選択されていると判別されると、前記キー入力部の操作から第２の時間だけ前記バックライト手段と光らせるように制御することが可能となり、無線電話機の操作性を大幅に向上させることができ、かつ電池の消耗を可及的に小さくすることができるという効果を奏する。
【図面の簡単な説明】
【図１】  この発明に係わる無線電話装置を適用した携帯電話機の一実施の形態を示すブロック図である。
【図２】  図１に示した携帯電話機１０を用いて実現されるＷＡＰサービスを説明するためのシステム全体構成図である。
【図３】  図１に示した携帯電話機１０のマイクロプロセッサ１７によるバックライト付き表示器１５のバックライト１５２の点灯制御処理を示すフローチャートである。
【図４】  図１に示した携帯電話機１０のマイクロプロセッサ１７によるバックライト付き表示器１５のバックライト１５２の他の点灯制御処理を示すフローチャートである。
【符号の説明】
１０    携帯電話機
１１    電池
１２    電源回路
１３    メモリ
１４    Ａ−Ｄ変換器
１５    バックライト付き表示器
１６    キー入力部
１７    マイクロプロセッサ
１８    ＣＤＭＡ信号処理回路
１９    無線機
２０    アンテナ
２１    ボコーダ
２２    Ａ−Ｄ変換器
２３    マイクロフォン
２４    Ｄ−Ａ変換器
２５    スピーカ
２６    サウンダ
３０    公衆基地局
４０    回線交換網
５０    ゲートウエイ
６０    インターネット
７０    蓄積サーバ
８０    パーソナルコンピュータ
【図１】
0004024444.tif 000002
【図２】
0004024444.tif 000003
【図３】
0004024444.tif 000004
【図４】
0004024444.tif 000005